(57)【要約】【課題】本発明は、高い放熱効率を有する発光ダイオードランプを提供することを目的とする。【解決手段】本発明に係る発光ダイオードランプは、電気回路基板及び前記電気回路基板上に設置されて前記電気回路基板に電気接続される複数の発光ダイオードを備える発光ダイオード光源と、前記電気回路基板に電気接続され、且つ外部から獲得した電気エネルギーで前記複数の発光ダイオードを駆動する接続部と、前記電気回路基板に熱接続され、且つねじ山が設置された放熱面を有する放熱装置と、を備える。【選択図】図１
2011077507.tif 000002
【特許請求の範囲】
【請求項１】
電気回路基板及び前記電気回路基板上に設置されて前記電気回路基板に電気接続された複数の発光ダイオードを備える発光ダイオード光源と、
前記電気回路基板に電気接続され、且つ外部から獲得した電気エネルギーで前記複数の発光ダイオードを駆動する接続部と、
前記電気回路基板に熱接続され、且つねじ山が設置された放熱面を有する放熱装置と、
を備えることを特徴とする発光ダイオードランプ。
【請求項２】
前記放熱装置は、中実の半円柱であり、受熱面として前記電気回路基板に熱接続された平坦側面と、放熱面として前記電気回路基板から離れている半円柱側面と、を備え、前記接続部は、前記放熱装置の一端に設置されていることを特徴とする請求項１に記載の発光ダイオードランプ。
【請求項３】
前記放熱装置は、中空の半円柱であり、前記電気回路基板に熱接続され、且つ放熱面として前記電気回路基板から離れる方向に向かって突出する半円柱側面を備えることを特徴とする請求項１に記載の発光ダイオードランプ。
【請求項４】
前記放熱装置は、中実の円柱であり、対向して設置される第一円柱底面及び第二円柱底面と、前記第一円柱底面と前記第二円柱底面との間に位置する円柱側面と、を備え、前記第一円柱底面は、受熱面として前記電気回路基板に熱接続され、前記円柱側面は、放熱面であり、前記接続部は、前記第二円柱底面に設置されていることを特徴とする請求項１に記載の発光ダイオードランプ。
【請求項５】
前記放熱装置は、円錐台形であり、対向して設置される第一円錐台形底面及び第二円錐台形底面と、前記第一円錐台形底面と前記第二円錐台形底面との間に位置する円錐台形側面と、を備え、前記第一円錐台形底面は、受熱面として前記電気回路基板に熱接続され、前記円錐台形側面は、放熱面であり、前記接続部は、前記第二円錐台形底面に設置されていることを特徴とする請求項１に記載の発光ダイオードランプ。
【請求項６】
前記接続部は、螺合部を有する口金であり、前記螺合部に設置されたねじ山の様子及びピッチと前記放熱装置のねじ山の様子及びピッチとは同じであることを特徴とする請求項１に記載の発光ダイオードランプ。
【請求項７】
前記発光ダイオードランプは、ねじ山が設置された螺合部を有する口金嵌合部及びねじ山が設置された螺合部を有する放熱装置嵌合部を含むランプホルダーをさらに備え、前記接続部は、前記口金嵌合部に螺合接続して電力を獲得し、前記放熱装置のねじ山と前記放熱装置嵌合部のねじ山とが互いに噛み合って緊密に接触することを特徴とする請求項１に記載の発光ダイオードランプ。
【発明の詳細な説明】
【技術分野】
【０００１】
本発明は、発光ダイオードランプに関するものである。
【背景技術】
【０００２】
半導体発光素子を採用して製作された発光ダイオード（Ｌｉｇｈｔ  Ｅｍｉｔｔｉｎｇ  Ｄｉｏｄｅ，ＬＥＤ）は、高輝度、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わってランプの光源として広く応用される。
【発明の概要】
【発明が解決しようとする課題】
【０００３】
発光ダイオードランプは長時間作動すると、生じる熱量が多くなり、温度が一定の程度に達すると、発光ダイオードの内部量子効率が低下し、発光ダイオードの寿命が短縮される。従って、発光ダイオードが作動する時に生じる熱量を即時に放熱しなければならない。
【０００４】
本発明の目的は、前記課題を解決し、高い放熱効率を有する発光ダイオードランプを提供することである。
【課題を解決するための手段】
【０００５】
本発明に係る発光ダイオードランプは、電気回路基板及び前記電気回路基板上に設置されて前記電気回路基板に電気接続する複数の発光ダイオードを備える発光ダイオード光源と、前記電気回路基板に電気接続し、且つ外部から獲得した電気エネルギーで前記複数の発光ダイオードを駆動する接続部と、前記電気回路基板に熱接続し、且つねじ山が設置された放熱面を有する放熱装置と、を備える。
【発明の効果】
【０００６】
本発明の発光ダイオードランプにおいて、放熱装置の放熱面には、ねじ山が設置されているため、前記放熱装置の放熱表面を増加することができ、さらに良い放熱効果に達する。
【図面の簡単な説明】
【０００７】
【図１】本発明の第一実施形態に係る発光ダイオードランプの構造を示す図である。
【図２】図１に示す照明装置のＩＩ−ＩＩ線に沿う断面図である。
【図３】本発明の第一実施形態に係る発光ダイオードランプの第一変形例である。
【図４】本発明の第一実施形態に係る発光ダイオードランプの第二変形例である。
【図５】本発明の第一実施形態に係る発光ダイオードランプの第三変形例である。
【図６】本発明の第二実施形態に係る発光ダイオードランプの構造を示す図である。
【図７】図６に示す照明装置のＶＩＩ−ＶＩＩ線に沿う断面図である。
【図８】本発明の第二実施形態に係る発光ダイオードランプの変形例である。
【図９】本発明の第三実施形態に係る発光ダイオードランプの構造を示す図である。
【図１０】本発明の第一実施形態に係る発光ダイオードランプと配合して使用するランプホルダーの構造を示す図である。
【図１１】本発明の第二実施形態に係る発光ダイオードランプと配合して使用するランプホルダーの構造を示す図である。
【発明を実施するための形態】
【０００８】
以下、図面を参照して、本発明の実施形態について説明する。
【０００９】
図１及び図２に示されたように、本発明の第一実施形態に係る発光ダイオードランプ１０は、発光ダイオード光源１１と、放熱装置１２及び接続部１３を備える。
【００１０】
前記発光ダイオード光源１１は、電気回路基板１１０と、前記電気回路基板１１０の上に設置される１つ又は複数の発光ダイオード１１２と、を備える。本実施形態において、前記電気回路基板１１０の上には、複数の発光ダイオード１１２が設置されている。
【００１１】
本実施形態において、前記電気回路基板１１０は、平板状であり、前記放熱装置１２に熱接続する第一表面１１０２と、前記第一表面１１０２に対向して設置される第二表面１１０４と、を備える。前記発光ダイオード１１２は、前記電気回路基板１１０の第二表面１１０４に設置される。
【００１２】
前記電気回路基板１１０は、平板状に限定されるものではなく、柱状であることもでき、且つ少なくとも二つの側面を備え、即ち前記放熱装置１２に熱接続する第一表面１１０２及び前記発光ダイオード１１２を積載する第二表面１１０４である。図３に示されたように、前記電気回路基板１１０は角柱状であり、その第二表面１１０４は同じ面に位置しない複数の平面を有し、前記複数の平面に設置されている発光ダイオード１１２がそれぞれに異なる方向に向かって発光するため、照明範囲が大きくなる。
【００１３】
図４に示されたように、前記電気回路基板１１０は、柱状であることもでき、その第二表面１１０４は、滑らかな曲面であり、該第二表面１１０４に設置されている発光ダイオー１１２がそれぞれ異なる方向に向かって発光するため、照明範囲が大きくなる。
【００１４】
前記放熱装置１２は、前記電気回路基板１１０の第一表面１１０２に設置されている。前記放熱装置１２は、前記第一表面１１０２によって前記電気回路基板１１０に熱接続されて、前記発光ダイオード１１２から生じて前記電気回路基板１１０に伝導される熱量を放熱するために用いられる。前記放熱装置１２は、アルミニウム、金、銀、銅又はその合金などのような優れた熱伝導性能を有する放熱材料から製造される。
【００１５】
本実施形態において、前記放熱装置１２は、中実の半円柱であり、前記電気回路基板１１０の第一表面１１０２に熱接続する平坦側面（図示せず）と、前記電気回路基板１１０の第一表面１１０２から離れている半円柱側面１２０と、を備える。前記平坦側面は、受熱面であり、前記発光ダイオード１１２から生じて前記電気回路基板１１０に伝導された熱量を受ける。前記半円柱側面１２０は、放熱面であり、その上には前記放熱装置１２の軸方向を巡って延在するねじ山１２２が設置されているため、前記放熱装置１２はさらに大きい放熱表面を有し、放熱効率が高い。
【００１６】
前記放熱装置１２は、中実の半円柱に限定されるものではない。図５に示されたように、前記放熱装置１２は、その重量を低減するために中空の半円柱であることもでき、前記電気回路基板１１０に熱接続され、且つ前記電気回路基板１１０から離れる方向に向かって突出する半円柱側面１２０を備える。前記半円柱側面１２０は、放熱面であり、その上には前記放熱装置１２の軸方向を巡って延在するねじ山１２２が設置されている。
【００１７】
前記接続部１３は、前記放熱装置１２の一端に設置され且つ前記電気回路基板１１０に電気接続して、外部から獲得した電気エネルギーで前記発光ダイオード１１２を駆動して発光させる。前記接続部１３は、螺合部を有する口金又は係合部を有する口金である。本実施形態において、前記接続部１３は、螺合部を有する口金であり、その上に設置されたねじ山の様子及びピッチと前記放熱装置１２のねじ山１２２の様子及びピッチとは同じである。
【００１８】
図６及び図７に示されたように、本発明の第二実施形態に係る発光ダイオードランプ２０は、発光ダイオード光源２１と、放熱装置２２及び接続部２３を備える。前記発光ダイオードランプ２０の構造は、前記発光ダイオードランプ１０の構造と類似し、同様に電気回路基板２１０及び該電気回路基板２１０の上に設置される１つ又は複数の発光ダイオード２１２を備える。異なるのは、前記発光ダイオードランプ２０の放熱装置２２は、中実の円柱であり、前記発光ダイオード光源２１及び前記接続部２３は、別々に前記放熱装置２２の対向する２つの底面に設置され、前記放熱装置２２の円柱側面２２０は放熱面であり、前記円柱側面２２０には、ねじ山２２２が設置される。
【００１９】
図８に示されたように、前記放熱装置２２の重量を低減するために、前記放熱装置２２は、中空の円柱であることもできる。
【００２０】
図９に示されたように、本発明の第三実施形態に係る発光ダイオードランプ３０において、放熱装置３２は円錐台形であり、発光ダイオード光源３１及び接続部３３は、別々に前記放熱装置３２の対向する２つの円錐台形底面に設置され、前記放熱装置３２の円錐台形側面３２０は放熱面であり、前記円錐台形側面３２０には、ねじ山３２２が設置されている。
【００２１】
図１０に示されたように、本発明は、前記発光ダイオードランプ１０と係合して使用するランプホルダー４０をさらに提供する。前記ランプホルダー４０は、本体４１及び該本体４１から外に向かって延在する中空の半円柱体４２を備える。
【００２２】
前記本体４１の内側には、螺合部を有する口金嵌合部４１０が設置されており、前記口金嵌合部４１０のねじ山の様子及びピッチは、前記接続部１３のねじ山の様子及ピッチに対応する。前記発光ダイオードランプ１０と前記ランプホルダー１０とを係合して使用する時、前記接続部１３を前記口金嵌合部４１０に螺合接続し、前記ランプホルダー４０は前記口金嵌合部４１０によって前記発光ダイオードランプ１０を固定するとともに前記接続部１３に電力を提供する。前記中空の半円柱体４２の内側には、螺合部を有する放熱装置嵌合部が設置されており、前記放熱装置嵌合部のねじ山４２０と前記放熱装置１２のねじ山１２２とが互いに噛み合って緊密に接触し、従って前記放熱装置１２は熱量を前記ランプホルダー４０に伝導する。
【００２３】
図１１に示されたように、本発明は、前記発光ダイオードランプ２０と係合して使用するランプホルダー５０をさらに提供する。前記ランプホルダー５０は、中空円柱状の本体５１を備える。
【００２４】
前記本体５１の内側には、螺合部を有する口金嵌合部５１０及び螺合部を有する放熱装置嵌合部（図示せず）が設置されており、前記口金嵌合部５１０と前記放熱装置嵌合部との接続箇所に段階を形成する。前記口金嵌合部５１０のねじ山の様子及びピッチは、前記接続部２３のねじ山の様子及ピッチに対応する。前記放熱装置嵌合部のねじ山５１２の様子及びピッチは、前記放熱装置２２のねじ山２２２の様子及びピッチに対応する。前記発光ダイオードランプ２０と前記ランプホルダー５０とを係合して使用する時、前記接続部２３を前記口金嵌合部５１０に螺合接続し、前記ランプホルダー５０は前記口金嵌合部５１０によって前記接続部２３に電力を提供する。前記放熱装置２２のねじ山２２２と前記放熱装置嵌合部のねじ山５１２とが互いに噛み合って緊密に接触し、従って前記放熱装置２２は熱量を前記ランプホルダー５０に伝導する。
【００２５】
前記発光ダイオードランプ１０、２０、３０の放熱装置１２、２２、３２の放熱面１２０、２２０、３２０には、ねじ山１２２、２２２、３２２が設置されているため、前記放熱装置１２、２２、３２の放熱表面を増加することができ、さらに良い放熱効果に達する。前記ランプホルダー４０、５０の放熱装置嵌合部のねじ山４２０、５１２は、前記放熱装置１２、２２のねじ山１２２、２２２に噛み合って緊密に接触するため、前記放熱装置１２、２２の熱量を前記ランプホルダー４０、５０に速く伝導できる。
【００２６】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２７】
１０、２０、３０  発光ダイオードランプ
１１、２１、３１  発光ダイオード光源
１２、２２、３２  放熱装置
１３、２３、３３  接続部
４０、５０  ランプホルダー
４１、５１  本体
４２  中空の半円柱体
１１０、２１０  電気回路基板
１１２、２１２  発光ダイオード
１２０  半円柱側面
１２２、２２２、３２２、４２０、５１２  ねじ山
２２０  円柱側面
３２０  円錐台形側面
４１０、５１０  口金嵌合部
１１０２  第一表面
１１０４  第二表面
【図１】
2011077507.tif 000003
【図２】
2011077507.tif 000004
【図３】
2011077507.tif 000005
【図４】
2011077507.tif 000006
【図５】
2011077507.tif 000007
【図６】
2011077507.tif 000008
【図７】
2011077507.tif 000009
【図８】
2011077507.tif 000010
【図９】
2011077507.tif 000011
【図１０】
2011077507.tif 000012
【図１１】
2011077507.tif 000013